(57)【要約】      （修正有）【課題】著作権の保護を図ると共に、ユーザの利便性を向上する再生装置、記録装置、記録データの再生方法、記録対象データの記録方法および制御プログラムを提供する。【解決手段】記録データを記録媒体に記録した装置の識別情報を第一の暗号鍵とし、予め設定されたユーザ識別情報を第二の暗号鍵とし、第一の暗号鍵または第二の暗号鍵により復号可能に第一の暗号化処理が施されて記録媒体に記録された記録データを再生する再生装置に、ユーザ識別情報の入力を受け付ける入力部と、入力されたユーザ識別情報が第二の暗号鍵に該当するか否かを判別するユーザ識別情報判別部と、第一の暗号鍵または第二の暗号鍵により記録データに対して第一の復号化処理を施す第一の復号化処理部とを備えさせる。【選択図】図９
2007213327.tif 000002
【特許請求の範囲】
【請求項１】
記録データを記録媒体に記録した装置の識別情報を第一の暗号鍵とし、予め設定されたユーザ識別情報を第二の暗号鍵とし、第一の暗号鍵または第二の暗号鍵により復号可能に第一の暗号化処理が施されて前記記録媒体に記録された記録データを再生する再生装置であって、
当該再生装置の識別情報が前記記録データを記録媒体に記録した装置の識別情報と一致しない場合に、ユーザに対してユーザ識別情報の入力を受け付ける入力部と、
入力されたユーザ識別情報が前記第二の暗号鍵に該当するか否かを判別するユーザ識別情報判別部と、
前記第一の暗号鍵または第二の暗号鍵により前記記録データに対して第一の復号化処理を施す第一の復号化処理部と、
を備えることを特徴とする再生装置。
【請求項２】
記録データを記録媒体に記録した装置の識別情報を第一の暗号鍵とし、当該第一の暗号鍵を用いて第一の暗号化処理が施された記録データと、予め設定されたユーザ識別情報および前記記録媒体に記録した装置の識別情報を関連付けた暗号鍵読出情報とが記録された記録媒体から前記記録データを再生する再生装置であって、
当該再生装置の識別情報が前記記録データを記録した装置の識別情報と一致しない場合に、ユーザからのユーザ識別情報の入力を受け付ける入力部と、
前記入力部から入力されたユーザ識別情報と前記予め設定されたユーザ識別情報とが一致する場合に、前記記録媒体から前記暗号鍵呼出情報を読み出して前記記録媒体に前記記録データを記録した装置の識別情報を得る暗号鍵取得部と、
当該再生装置の識別情報または前記記録データを記録した装置の識別情報を用いて前記記録データに対して第一の復号化処理を施す第一の復号化処理部と、
を備えることを特徴とする再生装置。
【請求項３】
請求項１または２記載の再生装置において、
前記記録データは、前記第一の暗号化処理が施された記録対象データに対して、前記記録媒体の識別情報を第三の暗号鍵として第二の暗号化処理が施されて前記記録媒体に記録されたものであり、
当該再生装置は、
前記記録媒体から当該記録媒体の識別情報を抽出する記録媒体識別情報抽出部と、
前記記録媒体識別情報抽出部により抽出した前記記録媒体の識別情報を用いて記録データに対して第二の復号化処理を施す第二の復号化処理部と、
を備え、
前記第一の復号化処理部は前記第二の復号化処理部により復号化された記録データに対して前記第一の復号化処理を施すこと、
を特徴とする再生装置。
【請求項４】
記録媒体に対して記録対象データを記録する記録装置において、
前記記録媒体に記録対象データを記録する際に、ユーザに対してユーザが任意に設定可能なユーザ識別情報の入力を受け付ける入力部と、
当該記録装置の識別情報を第一の暗号鍵とし、前記入力部を介して入力されたユーザ識別情報を第二の暗号鍵として、第一の暗号鍵および第二の暗号鍵を用いて、前記第一の暗号鍵または前記第二の暗号鍵を用いて復号可能に前記記録対象データに第一の暗号化処理を施す第一の暗号化処理部と、
第一の暗号化処理が施された前記記録対象データを記録データとして前記記録媒体に記録する記録部と、
を備えたことを特徴とする記録装置。
【請求項５】
記録媒体に対して記録対象データを記録する記録装置において、
前記記録媒体に記録対象データを記録する際に、ユーザに対してユーザが予め設定可能なユーザ識別情報の入力を受け付ける入力部と、
当該記録装置の識別情報を第一の暗号鍵とし、前記入力部を介して入力されたユーザ識別情報により前記第一の暗号鍵を読み出し可能に関連付けた暗号鍵読出情報を作成するとともに、前記第一の暗号鍵を用いて前記記録対象データに第一の暗号化処理を施す第一の暗号化処理部と、
第一の暗号化処理が施された前記記録対象データを記録データとして、前記暗号鍵呼出情報とともに前記記録媒体に記録する記録部と、
を備えたことを特徴とする記録装置。
【請求項６】
請求項４または５記載の記録装置において、
前記記録媒体から当該記録媒体の識別情報を抽出する記録媒体識別情報抽出部と、
前記第一の暗号化処理部により第一の暗号化処理が施された記録対象データに、前記記録媒体の識別情報を第三の暗号鍵として、第二の暗号化処理を施す第二の暗号化処理部と、
を備え、
前記記録部は、前記第一の暗号化処理および第二の暗号化処理が施された記録対象データを前記記録媒体に記録すること、
を特徴とする記録装置。
【請求項７】
入力部を有する再生装置を用いて、記録データを記録媒体に記録した装置の識別情報を第一の暗号鍵とし、予め設定されたユーザ識別情報を第二の暗号鍵とし、第一の暗号鍵または第二の暗号鍵により復号可能に第一の暗号化処理が施されて前記記録媒体に記録された記録データを再生する記録データの再生方法であって、
当該再生装置の識別情報が前記記録データを記録媒体に記録した装置の識別情報と一致しない場合に、ユーザに対してユーザ識別情報の入力を受け付ける過程と、
入力されたユーザ識別情報が前記第二の暗号鍵に該当するか否かを判別する過程と、
前記第一の暗号鍵または第二の暗号鍵により前記記録データに対して第一の復号化処理を施す過程と、
を備えることを特徴とする記録データの再生方法。
【請求項８】
入力部を有する記録装置を用いて、記録媒体に対して記録対象データの記録を行う記録対象データの記録方法であって、
前記記録媒体に記録対象データを記録する際に、ユーザに対してユーザが任意に設定可能なユーザ識別情報の入力を受け付ける過程と、
当該記録装置の識別情報を第一の暗号鍵とし、前記入力部を介して入力されたユーザ識別情報を第二の暗号鍵として、第一の暗号鍵および第二の暗号鍵を用いて、前記第一の暗号鍵または前記第二の暗号鍵を用いて復号可能に前記記録対象データに第一の暗号化処理を施す過程と、
第一の暗号化処理が施された前記記録対象データを記録データとして前記記録媒体に記録する過程と、
を備えたことを特徴とする記録対象データの記録方法。
【請求項９】
入力部を有する再生装置を用いて、記録データを記録媒体に記録した装置の識別情報を第一の暗号鍵とし、予め設定されたユーザ識別情報を第二の暗号鍵とし、第一の暗号鍵または第二の暗号鍵により復号可能に第一の暗号化処理が施されて前記記録媒体に記録された記録データを再生する際に、前記再生装置をコンピュータにより制御するための制御プログラムであって、
当該再生装置の識別情報が前記記録データを記録媒体に記録した装置の識別情報と一致しない場合に、入力部にユーザからのユーザ識別情報の入力を受付させ、
入力されたユーザ識別情報が前記第二の暗号鍵に該当するか否かを判別させ、
前記第一の暗号鍵または第二の暗号鍵により前記記録データに対して第一の復号化処理を施させる、
ことを特徴とする制御プログラム。
【請求項１０】
入力部を有する記録装置を用いて、記録媒体に対して記録対象データの記録を行う際に、当該記録装置をコンピュータにより制御するためのプログラムであって、
前記記録媒体に記録対象データを記録する際に、前記入力部にユーザからユーザが任意に設定可能なユーザ識別情報の入力を受け付けさせ、
当該記録装置の識別情報を第一の暗号鍵とし、前記入力部を介して入力されたユーザ識別情報を第二の暗号鍵として、第一の暗号鍵および第二の暗号鍵を用いて、前記第一の暗号鍵または前記第二の暗号鍵を用いて復号可能に前記記録対象データに第一の暗号化処理を施させ、
第一の暗号化処理が施された前記記録対象データを記録データとして前記記録媒体に記録させる、
ことを特徴とする制御プログラム。
【発明の詳細な説明】
【技術分野】
【０００１】
本発明は、記録媒体に記録された記録データの再生又は記録媒体に記録対象データの記録を行う再生装置、記録装置、記録データの再生方法、記録対象データの記録方法および制御プログラムに関する。
【背景技術】
【０００２】
従来より、著作権保護等のため、ＤＶＤ（Digital Versatile Disk）、ＭＤ（mini disk）、ＣＤ−Ｒ（Compact Disk Recordable）等の記録媒体に音楽の著作物や映画の著作物等に係る音楽データや画像データ等を記録する際に、これらの記録媒体に音楽データ等とともに記録に用いる装置の識別情報を記録させておき、当該装置を用いなければ記録媒体に記録した音楽データ等を再生することができないようにすることが行われている（例えば、特許文献１〜５参照）。
【特許文献１】特開平７−２４９２６２号公報
【特許文献２】特開平９−６９２７８号公報
【特許文献３】特開平１１−１０２５７２号公報
【特許文献４】特開２００１−１９５８２６号公報
【特許文献５】特開２００２−９３０４８号公報
【発明の開示】
【発明が解決しようとする課題】
【０００３】
ところで、ユーザは、通勤、通学時等に記録媒体に記録した音楽データを携帯用の再生装置を用いて再生することを望む場合もあれば、自宅等で据置型の記録再生装置を用いて同音楽データの再生を望む場合もある。
しかしながら、上記従来の装置では、当該音楽データ等を記録媒体に記録した際に用いた装置を用いなければ、当該記録媒体に記録された音楽データ等を再生できなかった。このように、記録媒体にデータを記録する装置と当該データを再生する装置とが一致していなければならないとすれば、ユーザの利便性に欠き、複製した音楽データ等を私的使用のためであっても十分に楽しむことができない場合があった。
【０００４】
本発明の課題は、著作権の保護を図ると共に、ユーザの利便性を向上する再生装置、記録装置、記録データの再生方法、記録対象データの記録方法および制御プログラムを提供することにある。
【課題を解決するための手段】
【０００５】
上記課題を解決するため、本発明の再生装置は、記録データを記録媒体に記録した装置の識別情報を第一の暗号鍵とし、予め設定されたユーザ識別情報を第二の暗号鍵とし、第一の暗号鍵または第二の暗号鍵により復号可能に第一の暗号化処理が施されて前記記録媒体に記録された記録データを再生する再生装置であって、当該再生装置の識別情報が前記記録データを記録媒体に記録した装置の識別情報と一致しない場合に、ユーザに対してユーザ識別情報の入力を受け付ける入力部と、入力されたユーザ識別情報が前記第二の暗号鍵に該当するか否かを判別するユーザ識別情報判別部と、前記第一の暗号鍵または第二の暗号鍵により前記記録データに対して第一の復号化処理を施す第一の復号化処理部と、を備えることを特徴とする。
上記構成によれば、記録データを記録媒体に記録した装置と、この再生装置とが同一の装置である場合には、再生装置は自己の装置に割り当てられた識別情報を用いて記録データを復号して再生することができる。一方、記録データを記録媒体に記録した装置が、この再生装置と異なる装置である場合には、入力部を介してユーザから正しいユーザ識別情報の入力がされることにより暗号化された記録データを復号して再生することができる。すなわち、ユーザ識別情報の入力を求めることにより、著作権保護を担保するとともに、ユーザがデータを記録した記録装置以外の装置でもデータを再生することが可能となりユーザの利便性を向上させ得る。
【０００６】
また、本発明の再生装置は、記録データを記録媒体に記録した装置の識別情報を第一の暗号鍵とし、当該第一の暗号鍵を用いて第一の暗号化処理が施された記録データと、予め設定されたユーザ識別情報と前記記録媒体に記録した装置の識別情報を関連付けた暗号鍵読出情報とが記録された記録媒体から前記記録データを再生する再生装置であって、当該再生装置の識別情報が前記記録データを記録した装置の識別情報と一致しない場合に、ユーザからのユーザ識別情報の入力を受け付ける入力部と、前記入力部から入力されたユーザ識別情報と前記予め設定されたユーザ識別情報とが一致する場合に、前記記録媒体から前記暗号鍵呼出情報を読み出して前記記録媒体に前記記録データを記録した装置の識別情報を取得する暗号鍵取得部と、当該再生装置の識別情報または前記記録データを記録した装置の識別情報を用いて前記記録データに対して第一の復号化処理を施す第一の復号化処理部と、を備えることを特徴とする。
上記構成によれば、記録データを記録媒体に記録した装置と、この再生装置とが同一の装置である場合には、再生装置は自己の装置に割り当てられた識別情報を用いて記録データを復号して再生することができる。一方、記録データを記録媒体に記録した装置が、この再生装置と異なる装置である場合には、入力部を介してユーザから正しいユーザ識別情報の入力がされることにより、暗号鍵読出情報から記録データを記録媒体に記録した装置の識別情報を取得して、取得した識別情報を用いて暗号化された記録データを復号して再生することができる。すなわち、ユーザ識別情報の入力を求めることにより、著作権保護を担保するとともに、ユーザがデータを記録した記録装置以外の装置でもデータを再生することが可能となりユーザの利便性を向上させ得る。
【０００７】
上記構成の再生装置において、前記記録データが、前記第一の暗号化処理が施された記録対象データに対して、前記記録媒体の識別情報を第三の暗号鍵として第二の暗号化処理が施されて前記記録媒体に記録されたものである場合に、当該再生装置に、前記記録媒体から当該記録媒体の識別情報を抽出する記録媒体識別情報抽出部と、前記記録媒体識別情報抽出部により抽出した前記記録媒体の識別情報を用いて記録データに対して第二の復号化処理を施す第二の復号化処理部と、を備えさせ、前記第一の復号化処理部に前記第二の復号化処理部により復号化された記録データに対して前記第一の復号化処理を施させると好ましい。
【０００８】
また、本発明の記録装置は、記録媒体に対して記録対象データを記録する記録装置において、前記記録媒体に記録対象データを記録する際に、ユーザに対してユーザが任意に設定可能なユーザ識別情報の入力を受け付ける入力部と、当該記録装置の識別情報を第一の暗号鍵とし、前記入力部を介して入力されたユーザ識別情報を第二の暗号鍵として、第一の暗号鍵および第二の暗号鍵を用いて、前記第一の暗号鍵または前記第二の暗号鍵を用いて復号可能に前記記録対象データに第一の暗号化処理を施す第一の暗号化処理部と、第一の暗号化処理が施された前記記録対象データを記録データとして前記記録媒体に記録する記録部と、を備えたことを特徴とする。
【０００９】
また、本発明の記録装置は、記録媒体に対して記録対象データを記録する記録装置において、前記記録媒体に記録対象データを記録する際に、ユーザに対してユーザが予め設定可能なユーザ識別情報の入力を受け付ける入力部と、当該記録装置の識別情報を第一の暗号鍵とし、前記入力部を介して入力されたユーザ識別情報により前記第一の暗号鍵を読み出し可能に関連付けた暗号鍵読出情報を作成するとともに、前記第一の暗号鍵を用いて前記記録対象データに第一の暗号化処理を施す第一の暗号化処理部と、第一の暗号化処理が施された前記記録対象データを記録データとして、前記暗号鍵呼出情報とともに前記記録媒体に記録する記録部と、を備えたことを特徴とする。
【００１０】
また、上記構成の記録装置に、前記記録媒体から当該記録媒体の識別情報を抽出する記録媒体識別情報抽出部と、前記第一の暗号化処理部により第一の暗号化処理が施された記録対象データに、前記記録媒体の識別情報を第三の暗号鍵として、第二の暗号化処理を施す第二の暗号化処理部と、を備えさせ、前記記録部に、前記第一の暗号化処理および第二の暗号化処理が施された記録対象データを前記記録媒体に記録させると好ましい。
【００１１】
また、本発明の記録データの再生方法は、入力部を有する再生装置を用いて、記録データを記録媒体に記録した装置の識別情報を第一の暗号鍵とし、予め設定されたユーザ識別情報を第二の暗号鍵とし、第一の暗号鍵または第二の暗号鍵により復号可能に第一の暗号化処理が施されて前記記録媒体に記録された記録データを再生する記録データの再生方法であって、当該再生装置の識別情報が前記記録データを記録媒体に記録した装置の識別情報と一致しない場合に、ユーザに対してユーザ識別情報の入力を受け付ける過程と、入力されたユーザ識別情報が前記第二の暗号鍵に該当するか否かを判別する過程と、前記第一の暗号鍵または第二の暗号鍵により前記記録データに対して第一の復号化処理を施す過程と、を備えることを特徴とする。
【００１２】
また、本発明の記録対象データの記録方法は、入力部を有する記録装置を用いて、記録媒体に対して記録対象データの記録を行う記録対象データの記録方法であって、前記記録媒体に記録対象データを記録する際に、ユーザに対してユーザが任意に設定可能なユーザ識別情報の入力を受け付ける過程と、当該記録装置の識別情報を第一の暗号鍵とし、前記入力部を介して入力されたユーザ識別情報を第二の暗号鍵として、第一の暗号鍵および第二の暗号鍵を用いて、前記第一の暗号鍵または前記第二の暗号鍵を用いて復号可能に前記記録対象データに第一の暗号化処理を施す過程と、第一の暗号化処理が施された前記記録対象データを記録データとして前記記録媒体に記録する過程と、を備えたことを特徴とする。
【００１３】
また、本発明の制御プログラムは、入力部を有する再生装置を用いて、記録データを記録媒体に記録した装置の識別情報を第一の暗号鍵とし、予め設定されたユーザ識別情報を第二の暗号鍵とし、第一の暗号鍵または第二の暗号鍵により復号可能に第一の暗号化処理が施されて前記記録媒体に記録された記録データを再生する際に、前記再生装置をコンピュータにより制御するための制御プログラムであって、当該再生装置の識別情報が前記記録データを記録媒体に記録した装置の識別情報と一致しない場合に、入力部にユーザからのユーザ識別情報の入力を受付させ、入力されたユーザ識別情報が前記第二の暗号鍵に該当するか否かを判別させ、前記第一の暗号鍵または第二の暗号鍵により前記記録データに対して第一の復号化処理を施させる、ことを特徴とする。
【００１４】
また、本発明の制御プログラムは、入力部を有する記録装置を用いて、記録媒体に対して記録対象データの記録を行う際に、当該記録装置をコンピュータにより制御するためのプログラムであって、前記記録媒体に記録対象データを記録する際に、前記入力部にユーザからユーザが任意に設定可能なユーザ識別情報の入力を受け付けさせ、当該記録装置の識別情報を第一の暗号鍵とし、前記入力部を介して入力されたユーザ識別情報を第二の暗号鍵として、第一の暗号鍵および第二の暗号鍵を用いて、前記第一の暗号鍵または前記第二の暗号鍵を用いて復号可能に前記記録対象データに第一の暗号化処理を施させ、第一の暗号化処理が施された前記記録対象データを記録データとして前記記録媒体に記録させることを特徴とする。
【発明の効果】
【００１５】
本発明によれば、著作権の保護を図ると共に、ユーザの利便性を向上することができる。
【発明を実施するための最良の形態】
【００１６】
次に、本発明の好適な実施の形態について図面を参照して詳細に説明する。以下の実施の形態では、本発明の記録装置および再生装置をデジタル放送受信装置１に適用した場合について説明する。
【００１７】
図１は、本実施の形態のデジタル放送受信装置１の概要構成を示すブロック図である。図１に示すように、デジタル放送受信装置１は、コントロールユニット１０と、デジタル放送受信装置本体２０とを備え、デジタル放送受信装置本体２０に外部記録再生ユニット３０が取り外し可能に接続されている。デジタル放送受信装置１は記録装置および再生装置として機能し、他の記録装置または再生装置と識別するための識別情報（第一の暗号鍵）が割り当てられている。
【００１８】
外部記録再生ユニット３０は、外部記録媒体３１を備え、外部記録媒体３１に対して、データの記録、再生を行うものである。
【００１９】
外部記録媒体３１は、可搬型の記憶デバイスであり、コンパクトフラッシュ（登録商標）、ＳＤ（Secure Digital）メモリカード、メモリスティック、マジックゲートメモリスティック、等のフラッシュメモリを採用した記録デバイスや、ＭＤ（ミニディスク）、ＣＤ−Ｒ（CD Recordable）、ＤＶＤ（Digital Versatile Disk）等の各種の記録デバイスを用いて構成できる。外部記憶媒体３１には、他の外部記録媒体と識別するための識別情報（第三の暗号鍵）が割り当てられている。また、外部記録媒体３１は後述する暗号鍵読出情報を格納するための暗号鍵読出情報格納領域３２を有している。
【００２０】
デジタル放送受信装置１が記録装置として機能する場合は、デジタル放送受信装置１が受信したデジタル放送信号等の記録対象データに対して所定の暗号化処理を施して外部記録媒体３１に記録するデータ記録処理を行う。一方、デジタル放送受信装置１が再生装置として機能する場合は、上記のように所定の暗号化処理が施されて外部記録媒体３１に記録された記録データについて復号化処理を施して、記録データの再生を行う。
以下、デジタル放送受信装置１が備える各構成要素について説明する。
【００２１】
図１に示すように、コントロールユニット１０は、表示部１１と、入力部１２と、スピーカ１３とを備えている。
【００２２】
表示部１１は、例えば、液晶ディスプレイ等から構成され、上記データ記録処理又はデータ再生処理時にユーザに対してユーザ識別情報としてのパスワード（第二の暗号鍵）の入力を要求するパスワード入力要求画面を表示したり、データ記録処理中またはデータ再生処理中にエラーが検出された場合にはエラー内容の表示を行うものである。
【００２３】
入力部１２は、ユーザからの各種操作指示を受け付けるもので、データ記録処理要求やデータ再生処理要求を入力するための処理要求入力ボタンや、パスワードを入力するための英数字入力ボタン等の各種操作子を有している。ここで、ユーザからこの入力部１２を介して入力されるパスワードは、ユーザにより任意に設定可能であり、英文字、数字等を任意に組み合わせた文字列等により構成できる。
【００２４】
スピーカ１３は、デジタル放送受信装置本体２０において受信したデジタル放送信号または外部記録媒体３１に記録された記録データに含まれる音声信号を音波として外部に出力するためのものである。
【００２５】
デジタル放送受信装置本体２０は、図１に示すように、ＲＦ部２２とベースバンド部２３と制御部２４とインタフェース部４０とを備えている。
【００２６】
ＲＦ（Radio Frequency）部２２は、アンテナ２１を備え、アンテナ２１を介して図示しない人工衛星からデジタル放送信号（ＲＦ信号）を受信するものである。
【００２７】
ベースバンド部２３は、ＲＦ部２２において受信したデジタル放送信号に対してベースバンド処理を施すものである。
【００２８】
制御部２４は、ＣＰＵ、ＲＡＭ、ＲＯＭ等を備え、ＲＯＭに格納された各種制御プログラムをＲＡＭに読み出して、ＲＡＭの一部を作業領域として、デジタル放送受信装置１の各部を集中制御して、上記データ記録処理、データ再生処理等の各種処理を実行するものである。
【００２９】
インタフェース部４０は、図２に示すように、外部記録媒体識別情報抽出部４１と、第一の暗号化・復号化処理部４２と、第二の暗号化・復号化処理部４３とを備え、データ記録処理の際にはベースバンド部から出力される記録対象データに対して所定の暗号化処理を施して外部記録再生ユニット３０を介して外部記録媒体３１に与え、データ再生処理の際には外部記録再生ユニット３０を介して外部記録媒体３１に記録された再生対象の記録データを取得して、該記録データに対して所定の復号化処理を施すものである。
【００３０】
外部記録媒体識別情報抽出部４１は、外部記録媒体３１に割り当てられた識別情報を抽出（取得）して、抽出した外部記録媒体３１の識別情報を第二の暗号化・復号化処理部４３に与えるものである。
【００３１】
第一の暗号化・復号化処理部４２は、外部記録媒体３１に記録する記録対象データまたは外部記録媒体３１に記録された記録データに対して、デジタル放送受信装置１の識別情報および入力部１２を介して入力されるパスワードを用いて、データの暗号化処理・復号化処理を施すものであり、第一の暗号化処理部４２ａおよび第一の復号化処理部４２ｂを有している。
【００３２】
第一の暗号化処理部４２ａは、デジタル放送受信装置１の識別情報およびユーザから入力部１２を介して入力されるパスワードを用いて、デジタル放送受信装置１の識別情報またはパスワードにより復号できるように、デジタル放送受信装置１の識別情報と入力されたパスワードとを関連付けた暗号鍵読出情報を作成するとともに、デジタル放送受信装置１の識別情報を暗号鍵として、記録対象データに対して暗号化処理を施すものである。第一の暗号化処理部４２ａにおいて実行される暗号化処理を第一の暗号化処理という。
【００３３】
第一の暗号化処理の際に作成される暗号鍵読出情報は、ハッシュ法を利用して作成することができる。暗号鍵読出情報において、パスワードがキーとなり、キー値を所定のハッシュ関数に与えた際にハッシュ関数が返す値が、記録データを外部記録媒体３１に記録した装置の識別情報となるように設定される。
【００３４】
また、第一の暗号化処理に際して、ユーザによるパスワードの入力は任意である。ユーザがこのデジタル放送受信装置１を用いて外部記録媒体３１に記録した記録データを他の再生装置を用いて再生したい場合にはパスワードの入力が必要となる。パスワードが入力されれば、他の再生装置は、ユーザから正しいパスワードが入力されることを条件に、暗号鍵読出情報から記録データの復号に必要な当該デジタル放送受信装置１の識別情報を取得することができ、外部記録媒体３１に記録された記録データを再生できるようになる。
【００３５】
他の再生装置を用いて外部記録媒体３１に記録した記録データを再生する必要がなければ、パスワードの入力は不要である。すなわち、ユーザからパスワードの入力がなかった場合、暗号鍵読出情報において、キー値はＮＵＬＬに設定されるため、他の再生装置では、暗号鍵読出情報から暗号鍵としての当該デジタル放送受信装置１の識別情報を取得することができない。このため、他の再生装置では、外部記録媒体３１に記録された記録データを復号して再生することができなくなる。
【００３６】
第一の暗号化処理部４２ａは、第一の暗号化処理部状態識別データEnc1Ready（図示略）を格納するための第一の暗号化処理部状態識別データ格納部（図示略）を有する。この第一の暗号化処理部状態識別データEnc1Readyは初期状態において“０”の値を取るように設定されており、以下に示す様に、第一の暗号化処理部４２ａの状態に応じて異なる値を取るように設定される。
【００３７】
第一の暗号化処理部４２ａが有する所定のレジスタに暗号鍵としてのデジタル放送受信装置１の識別情報が設定され、第一の暗号化処理部４２ａにおいて第一の暗号化処理を実行するための準備が完了している場合、第一の暗号化処理部状態識別データEnc1Readyの値は“１”に設定される。
【００３８】
第一の暗号化処理部４２ａが、第一の暗号化処理を実行できない状態にある場合、第一の暗号化処理部状態識別データEnc1Readyの値は負の値に設定される。例えば、外部記録再生ユニット３０に外部記録媒体３１が接続されていないことが検出された場合は、第一の暗号化処理を実行できず、第一の暗号化処理部状態識別データEnc1Readyの値は“−１”に設定される。また、デジタル放送受信装置１の識別情報の取得に失敗した場合も、第一の暗号化処理を実行できず、第一の暗号化処理部状態識別データEnc1Readyの値は“−２”に設定される。
【００３９】
第一の復号化処理部４２ｂは、第二の暗号化・復号化処理部４３において復号化された記録データに対して復号化処理を施すものである。この第一の復号化処理部４２ｂにおいて実行される復号化処理を第一の復号化処理という。
【００４０】
第一の復号化処理は、デジタル放送受信装置１の識別情報またはユーザにより予め設定されて入力されたパスワードを用いて行われる。再生対象とする記録データを記録した装置がこのデジタル放送受信装置１である場合には、自己のデジタル放送受信装置１の識別情報を用いて記録データに対して復号化処理を施す。一方、再生対象とする記録データを記録した装置がこのデジタル放送受信装置１ではない場合には、予め設定されたパスワードが入力されることにより、外部記録媒体３１に記録された暗号鍵読出情報から記録データを記録した装置の識別情報を読み出して、その識別情報を暗号鍵として復号化処理を施す。
【００４１】
第一の復号化処理部４２ｂは、第一の復号化処理部状態識別データDec1Readyを格納するための第一の復号化処理部状態識別データ格納部（図示略）を有する。この第一の復号化処理部状態識別データDec1Readyは初期状態において“０”の値を取るように設定されており、以下に示す様に、第一の復号化処理部４２ｂの状態に応じて異なる値を取るように設定される。
【００４２】
第一の復号化処理部４２ｂが有する所定のレジスタにデジタル放送受信装置１の識別情報が設定され、第一の復号処理部において第一の復号化処理を実行するための準備が完了している場合、第一の復号化処理部状態識別データDec1Readyの値は“１”に設定される。
【００４３】
第一の復号化処理部４２ｂにおいて、第一の復号化処理を実行することができない状態である場合には、第一の復号化処理部状態識別データDec1Readyの値は負の値に設定される。具体的には、第一の復号化処理に際して、入力部１２から入力されたパスワードと、外部記録媒体３１に再生対象の記録データが記録される際に入力されたパスワードとが一致しない場合は、第一の復号化処理を実行できず、第一の復号化処理部状態識別データDec1Readyの値は“−１”に設定される。また、第一の復号化処理に際して、デジタル放送受信装置１の識別情報の取得に失敗した場合も、第一の復号化処理を実行できず、第一の復号化処理部状態識別データDec1Readyの値は“−２”に設定される。
【００４４】
第二の暗号化・復号化処理部４３は、外部記録媒体識別情報抽出部４１から与えられる外部記録媒体３１の識別情報（第三の暗号鍵）を用いてデータの暗号化・復号化処理を施すものであり、第二の暗号化処理部４３ａおよび第二の復号化処理部４３ｂを有している。
【００４５】
第二の暗号化処理部４３ａは、第一の暗号化処理部４２ａにより第一の暗号化処理が施された記録対象データに対して外部記録媒体３１の識別情報を用いて暗号化処理を施すものである。この第二の暗号化処理部４３ａにおいて実行される暗号化処理を第二の暗号化処理という。
【００４６】
第二の暗号化処理部４３ａは、第二の暗号化処理部状態識別データEnc2Readyを格納するための第二の暗号化処理部状態識別データ格納部（図示略）を有する。この第二の暗号化処理部状態識別データEnc2Readyは初期状態において“０”の値を取るように設定されており、第二の暗号化処理部４３ａの状態に応じて、以下に示す様に、異なる値を取るように設定される。
【００４７】
第二の暗号化処理部４３ａに外部記録媒体３１の識別情報が設定されており、第二の暗号化処理を実行するための準備が完了している場合、第二の暗号化処理部状態識別データEnc2Readyの値は“１”に設定される。
【００４８】
一方、外部記録媒体３１が外部記録再生ユニット３０に接続されていない場合、第二の暗号化処理を実行することができず、第二の暗号化処理部状態識別データEnc2Readyの値は“−１”に設定される。
【００４９】
第二の復号化処理部４３ｂは、外部記録媒体３１に記録された記録データを再生する際に、外部記録媒体３１の識別情報を用いて復号化処理を施すものである。ここでは、この第二の復号化処理部４３ｂにおいて実行される復号化処理を第二の復号化処理という。
【００５０】
第二の復号化処理部４３ｂは、第二の復号化処理部状態識別データDec2Readyを格納するための第一の暗号化処理部状態識別データ格納部（図示略）を有する。この第二の復号化処理部状態識別データDec2Readyは初期状態において“０”の値を取るように設定されており、第二の復号化処理部４３ｂの状態に応じて異なる値を取るように設定される。
【００５１】
外部記録再生ユニット３０に外部記録媒体３１が接続されており、外部記録媒体３１の識別情報が第二の復号化処理部４３ｂの所定のフラグに設定されており、第二の復号化処理を実行するための準備が完了している場合、第二の復号化処理部状態識別データDec2Readyの値は正の値に設定される。
【００５２】
第二の復号化処理部状態識別データDec2Readyがとり得る正の値は、“１”と“２”がある。これは外部記録媒体３１に記録データが暗号化されて記録される際に、ユーザからパスワードの入力があったか否かによって異なる値が設定される。
【００５３】
第二の復号化処理部状態識別データDec2Readyの値が“１”に設定されている場合には、外部記録媒体３１に記録データが記録された際にユーザからパスワードの入力があったことを示す。第二の復号化処理部状態識別データDec2Readyの値が“１”に設定されていれば、外部記録媒体３１に記録データを記録した記録装置が他の装置であっても、ユーザから正しいパスワードの入力があれば、このデジタル放送受信装置１において記録データの再生が可能であることを示す。
【００５４】
第二の復号化処理部状態識別データDec2Readyの値が“２”に設定されている場合には、外部記録媒体３１に記録データを記録したのはこのデジタル放送受信装置１であり、ユーザに対してパスワードの入力を要求する必要がないことを示す。
【００５５】
一方、外部記録媒体３１が外部記録再生ユニット３０に接続されておらず、第二の復号化処理を実行することができない場合、第二の復号化処理部状態識別データDec2Readyの値は“−１”に設定される。
【００５６】
次に、本実施の形態のデジタル放送受信装置１の動作を説明する。
（１）データ記録処理
まず、デジタル放送受信装置１が記録装置として機能する場合に実行されるデータ記録処理を図３を参照して説明する。
【００５７】
図３に示すように、ユーザから入力部１２を介してデジタル放送信号の外部記録媒体３１に対する記録要求が入力されると（ステップＳ１：Ｙ）、表示部１１にパスワードの入力をユーザに促すパスワード入力要求画面を表示し、入力部１２においてユーザからのパスワードの入力を受け付ける（ステップＳ２）。
【００５８】
パスワードの入力を待ち（ステップＳ３：Yes or skip）、パスワードが入力されると（ステップＳ３：Yes）、制御部２４は、記録対象データを外部記録媒体３１に記録するための処理要求をベースバンド部２３およびインタフェース部４０に送信する（ステップＳ４）。この際、制御部２４は、デジタル放送受信装置１の識別情報とパスワードとを対にしたデータを作成し、作成したデータを処理要求とともにインタフェース部４０に送信する。但し、ユーザによりパスワードの入力をスキップする、すなわちパスワードを入力せずにデータ記録処理を行うよう指示要求が入力された場合（ステップＳ３：Skip）、制御部２４は、パスワードのデータフィールドにＮＵＬＬを挿入したデータを作成する。
【００５９】
次いで、制御部２４から送信される処理要求に従い、ベースバンド部２３は、記録対象データをインタフェース部４０に出力するデータ出力処理を行う（ステップＳ５）。
【００６０】
ベースバンド部２３から記録対象データの出力が行われると、インタフェース部４０では、制御部２４から入力される処理要求に従い、第一の暗号化処理部４２ａにおいて記録対象データに対して第一の暗号化処理を施す（ステップＳ６）。
【００６１】
そして、第二の暗号化処理部４３ａにおいて第二の暗号化処理が行われ（ステップＳ７）、第一の暗号化処理、第二の暗号化処理が施された記録対象データは、記録データとして外部記録媒体３１に記録される（ステップＳ８）。
【００６２】
以下、ステップＳ５、ステップＳ６、ステップＳ７において行われるデータ出力処理、第一の暗号化処理、第二の暗号化処理についてそれぞれ説明する。
【００６３】
（１−１）データ出力処理
まず、図４を参照して上記ステップＳ５におけるデータ出力処理について説明する。
ベースバンド部２３に制御部２４から処理要求が入力されると（ステップＳ１１：Ｙ）、第一の暗号化処理部状態識別データEnc1Readyの値が判別され、第一の暗号化処理部４２ａにおいて第一の暗号化処理を実行するための準備が完了しているか否かが判別される（ステップＳ１２）。
【００６４】
第一の暗号化処理部４２ａにおいて第一の暗号化処理を実行するための準備が完了していない場合（ステップＳ１２：Enc1Ready＝０）、第一の暗号化処理部状態識別データEnc1Readyの値が１になるまで待機する。第一の暗号化処理部４２ａにおいて第一の暗号化処理を実行するための準備が完了すれば（ステップＳ１２：Enc1Ready＝１）、第一の暗号化処理部４２ａに対して記録対象データの出力を行う（ステップＳ１３）。そして、データの出力終了要求が入力されると（ステップＳ１４：Ｙ）、データの出力を終了する（ステップＳ１５）。
【００６５】
一方、第一の暗号化処理部４２ａの設定アップシーケンスにおいて、エラーが検出された場合（ステップＳ１２：Enc1Ready＜０）、第一の暗号化処理部状態識別データEnc1Readyの値に応じて、外部記録再生ユニット３０に外部記録媒体３１が接続されていない、デジタル放送受信装置１の識別情報の取得に失敗した等のエラー内容を表示部１１に表示させて（ステップＳ１６）、当該データ出力処理を終了する。
【００６６】
（１−２）第一の暗号化処理
次に、図５を参照して、図３のステップＳ６における第一の暗号化処理を説明する。
インタフェース部４０に制御部２４から処理要求とともにデジタル放送受信装置１の識別情報とパスワードとを対にしたデータが入力されると（ステップＳ２１：Ｙ）、第二の暗号化処理部状態識別データEnc2Readyが参照され、第二の暗号化処理部４３ａにおいて第二の暗号化処理が可能な状態であるか否かが判別される（ステップＳ２２）。ここで、第二の暗号化処理部４３ａが初期状態（ステップＳ２２：Enc2Ready＝０）であれば、第二の暗号化処理が可能な状態（ステップＳ２２：Enc2Ready=1）となるまで待機する。
【００６７】
第二の暗号化処理部４３ａが第二の暗号化処理を実行できる状態となれば（ステップＳ２２：Enc2Ready=1）、制御部２４から処理要求とともに送信されるデジタル放送受信装置１の識別情報とパスワードとを対にしたデータの中からデジタル放送受信装置１の識別情報を取得し、このデジタル放送受信装置１の識別情報を正しく取得できたか否かを判別する（ステップＳ２３）。
【００６８】
デジタル放送受信装置１の識別情報を正しく取得できた場合（ステップＳ２３：Ｙ）、すなわち、取得したデジタル放送受信装置１の識別情報の値が正常の範囲内にあった場合、制御部２４から処理要求とともに送信されるデジタル放送受信装置１の識別情報とパスワードとを対にしたデータの中からパスワードを取得し、デジタル放送受信装置１の識別情報とパスワードとを関連付けた暗号鍵読出情報を作成する（ステップＳ２４）。
【００６９】
そして、デジタル放送受信装置１の識別情報を暗号鍵として、第一の暗号化処理部４２ａに備えられる所定のレジスタに設定し、第一の暗号化処理部状態識別データEnc1Readyの値を“１”に設定する（ステップＳ２５）。この状態により、第一の暗号化処理部４２ａは第一の暗号化処理を実行することができる状態となる。
【００７０】
そして、ベースバンド部２３から記録対象データが入力されると（ステップＳ２６：Ｙ）、入力した記録対象データに対してデジタル放送受信装置１の識別情報を暗号鍵として暗号化処理を施す（ステップＳ２７）。そして、処理終了要求が制御部２４から入力されると（ステップＳ２８：Ｙ）、第一の暗号化処理を終了する。
【００７１】
一方、上記ステップＳ２２において、第二の暗号化処理部状態識別データEnc2Readyの値が“−１”に設定されている場合、すなわち、外部記録再生ユニット３０に外部記録媒体３１が接続されていない場合、第一の暗号化処理部４２ａにおいても第一の暗号化処理を実行することができないので、第一の暗号化処理部状態識別データEnc1Readyの値を“−１”に設定して処理を終了する（ステップＳ２９）。
【００７２】
また、上記ステップＳ２３において、デジタル放送受信装置１の識別情報を正しく取得できなかった場合（ステップＳ２３：Ｎ）、第一の暗号化処理部状態識別データEnc1Readyの値を“−２”に設定して（ステップＳ３０）、第一の暗号化処理を終了する。
【００７３】
（１−３）第二の暗号化処理
次に、図６を参照して、図３のステップＳ７における第二の暗号化処理を説明する。
第二の暗号化処理の開始に際して、まず、第二の暗号化処理部４３ａは外部記録再生ユニット３０に外部記録媒体３１が接続されているか否かを判別する（ステップＳ４１）。外部記録再生ユニット３０に外部記録媒体３１が接続されていれば（ステップＳ４１：Ｙ）、外部記録媒体３１の識別情報を取得して、第二の暗号化処理部状態識別データEnc2Readyの値を“１”に設定する（ステップＳ４２）。
【００７４】
次に、第一の暗号化処理部状態識別データEnc1Readyの値が判別され、第一の暗号化処理部４２ａが第一の暗号化処理を実行できる状態となっているか否かが判別される（ステップＳ４３）。
【００７５】
第一の暗号化処理部４２ａが初期状態であれば（ステップＳ４３：Enc1Ready＝０）、第一の暗号化処理が実行できる状態となるまで待機し、第一の暗号化処理部４２ａにおいて第一の暗号化処理が実行できる状態となったら（ステップＳ４３：Enc1Ready＝１）、第一の暗号化処理部４２ａにおいて作成された暗号鍵読出情報を取得し、外部記録媒体３１の暗号鍵読出情報格納領域３２に暗号鍵読出情報を格納する（ステップＳ４４）。
【００７６】
そして、第一の暗号化処理部４２ａから第一の暗号化処理が施された記録対象データが入力されると（ステップＳ４５：Ｙ）、外部記録媒体３１の識別情報を暗号鍵とする第二の暗号化処理を施す（ステップＳ４６）。そして、制御部２４から処理終了要求が入力されると（ステップＳ４７：Ｙ）、この第二の暗号化処理を終了する。
【００７７】
一方、上記ステップＳ４１において、インタフェース部４０に外部記録媒体３１が接続されていないと判別されると（ステップＳ４１：Ｎ）、第二の暗号化処理部状態識別データEnc2Readyの値を“−１”に設定して（ステップＳ４８）、処理を終了する。
【００７８】
以上の第二の暗号処理が施された記録対象データは外部装置に記録され（図４のステップＳ８参照）、記録対象データの記録処理が終了する。
【００７９】
（２）データ再生処理
次に、外部記録媒体３１に記録された記録データを再生する際に実行されるデータ再生処理について説明する。
まず、図７を参照して、データ再生処理の概要を説明する。入力部１２を介してユーザから再生要求が入力されると（ステップＳ５１：Ｙ）、制御部２４はベースバンド部２３およびインタフェース部４０に処理要求を送信する（ステップＳ５２）。この際、制御部２４からインタフェース部４０には当該デジタル放送受信装置１の識別情報が処理要求とともに送信される。
【００８０】
制御部２４からの処理要求が入力されると、インタフェース部４０では、まず、再生対象の記録データに対して、第二の復号化処理を施し（ステップＳ５３）、次いで、第一の復号化処理を施す（ステップＳ５４）。
【００８１】
次いで、第二の復号化処理および第一の復号化処理が施された再生対象の記録データがベースバンド部２３に入力され、ベースバンド部２３は制御部２４を介してコントロールユニット１０に復号化した記録データを出力するデータ出力処理を行う（ステップＳ５５）。
入力部１２を介してユーザからデータ再生処理についての終了要求の入力があるまで、上記処理（ステップＳ５３、Ｓ５４、Ｓ５５）が繰り返し実行される。
【００８２】
以下、ステップＳ５３、ステップＳ５４、ステップＳ５５において行われる第二の復号化処理、第一の復号化処理、データ出力処理についてそれぞれ説明する。
【００８３】
（２−１）第二の復号化処理
まず、図７のステップＳ５３における第二の復号化処理について図８を参照して説明する。
【００８４】
制御部２４から処理要求が入力される（ステップＳ６１：Ｙ）と、まず、外部記録再生ユニット３０に外部記録媒体３１が接続されているか否かを判別する（ステップＳ６２）。外部記録媒体３１が接続されていれば（ステップＳ６２：Ｙ）、外部記録媒体３１から当該外部記録媒体３１の識別情報と、記録データが記録された際に暗号鍵読出情報格納領域３２に格納された暗号鍵読出情報を取得する（ステップＳ６３）。
【００８５】
次に、ステップＳ６３において取得した暗号鍵読出情報に含まれるパスワードがＮＵＬＬか否かを判別する（ステップＳ６４）。パスワードがＮＵＬＬでなければ（ステップＳ６４：Ｙ）、第二の復号化処理部状態識別データDec2Readyの値を“１”に設定し（ステップＳ６５）、第一の復号化処理部４２ｂおよび制御部２４に暗号鍵読出情報を送信する（ステップＳ６６）。
【００８６】
ここで、第二の復号化処理部状態識別データDec2Readyの値が“１”の場合、外部記録媒体３１に記録データが記録される際に、ユーザからパスワードが入力されたことを示している。この場合、外部記録媒体３１に記録された記録データを再生する際に、正しいパスワードの入力があれば、ハッシュ関数を用いて、記録データを外部記録媒体３１に記録した装置の識別情報を取得することができる。従って、正しいパスワードの入力を条件に、外部記録媒体３１に記録データを記録した装置が他の装置であっても、デジタル放送受信装置１において外部記録媒体３１に記録された記録データを再生することができることを示している。
【００８７】
一方、パスワードがＮＵＬＬであれば（ステップＳ６４：Ｎ）、第二の復号化処理部状態識別データDec2Readyの値を“２”に設定する（ステップＳ６７）。ここで、第二の復号化処理部状態識別データDec2Readyの値が“２”の場合、外部記録媒体３１に記録データが記録される際に、ユーザからパスワードの入力がなかったことを示している。このため、外部記録媒体３１に記録データを記録したのが他の装置である場合、デジタル放送受信装置１は記録データを再生することができないことを示す。
【００８８】
そして、第二の復号化処理部状態識別データDec2Readyの値を設定等した後（ステップS６５、Ｓ６６またはステップS６７）、第一の復号化処理部状態識別データDec1Readyの値が判別され、第一の復号化処理部４２ｂが第一の復号化処理を実行可能な状態となっていれば（ステップＳ６８：Dec1Ready＝１）、外部記録媒体３１から再生対象となる記録データが取得され（ステップＳ６９）、外部記録媒体３１の識別情報を暗号鍵として復号化処理が実行される（ステップＳ７０）。そして、制御部２４から処理終了要求が入力されると（ステップＳ７１：Ｙ）、この第一の復号化処理を終了する。
【００８９】
一方、上記ステップＳ６２において、外部記録再生ユニット３０に外部記録媒体３１が接続されていないと判別されると（ステップＳ６２：Ｎ）、第二の復号化処理部状態識別データDec2Readyの値を“−１”に設定して（ステップS７２）、処理を終了する。
【００９０】
（２−２）第一の復号化処理
次に、図７のステップＳ５８において実行される第一の復号化処理について図９を参照して説明する。
【００９１】
まず、制御部２４から処理要求が入力されると（ステップＳ８１：Ｙ）、第二の復号化処理部状態識別データDec2Readyの値が判別され、第二の復号化処理部４３ｂが第二の復号化処理を行うことが可能な状態か否かが判別される（ステップＳ８２）。
【００９２】
第二の復号化処理部４３ｂが第二の復号化処理を行うことが可能な状態である場合（ステップＳ８２：Dec2Ready＞０）、制御部２４から処理要求とともに送信される当該デジタル放送受信装置１の識別情報を取得する（ステップS８３）。このとき、第二の復号化処理部４３ｂから送信される暗号鍵読出情報から記録データを外部記録媒体３１に記録した装置の識別情報を取得する（ステップS８３）。
【００９３】
そして、デジタル放送受信装置１の識別情報と暗号鍵読出情報に含まれる識別情報とが一致するか否かが判別される（ステップＳ８４）。すなわち、本ステップ８４では、再生対象となる記録データを外部記録媒体３１に記録した装置がこのデジタル放送受信装置１と同一であるか否かを判別している。
【００９４】
再生対象となる記録データを外部記録媒体３１に記録した装置がこのデジタル放送受信装置１である場合（ステップＳ８４：Ｙ）、当該デジタル放送受信装置１の識別情報を第一の復号化処理部４２ｂが有する所定のレジスタに設定し、第一の復号化処理部状態識別データDec1Readyの値を“１”に設定する（ステップＳ８５）。
【００９５】
そして、第一の復号化処理部４２ｂが第一の復号化処理を実行できる状態となったので、第二の復号化処理部４３ｂから第二の復号化処理が施された記録データが入力されると（ステップS８６：Ｙ）、レジスタに設定された当該デジタル放送受信装置１の識別情報を暗号鍵として第一の復号化処理を実行し（ステップＳ８７）、制御部２４から処理終了要求が入力されるまで（ステップＳ８８：Ｙ）、当該処理を実行する。
【００９６】
一方、再生対象となる記録データを外部記録媒体３１に記録したのは、他の装置であると判別された場合（ステップＳ８４：Ｎ）、第二の復号化処理部状態識別データDec2Readyの値を評価する（ステップＳ８９）。
【００９７】
この第二の復号化処理部状態識別データDec2Readyの値が“１”である場合（ステップＳ８９：Dec2Ready＝１）、コントロールユニット１０の表示部１１にパスワード入力要求画面を表示させ、入力部１２を介してパスワードの入力を受け付ける（ステップＳ９０）。そして、ユーザから正しいパスワードが入力された場合（ステップＳ９１：Ｙ）、ステップＳ８５の処理に移行する。この際、暗号鍵読出情報から取得した記録データを外部記録媒体３１に記録した装置の識別情報を第一の復号化処理部４２ｂが有する所定のレジスタに設定し、当該識別情報を暗号鍵として第一の復号化処理を実行させる（ステップS８５）。
【００９８】
一方、ステップＳ９１においてパスワードが一致しない場合（ステップＳ９１：Ｎ）には、第一の復号化処理部状態識別データDec1Readyの値を“−１”に設定して（ステップＳ９２）、この第一の復号化処理を終了する。
【００９９】
また、上記ステップＳ８９において、第二の復号化処理部状態識別データDec2Readyの値が２の場合（ステップＳ８９：Dec2Ready＝２）、この場合、ユーザが外部記録媒体３１に記録対象データを記録させる際にパスワードを入力しておらず、またステップＳ８４において再生対象の記録データを記録した装置と当該デジタル放送受信装置１とは一致していないので、外部記録媒体３１に記録された記録データを当該デジタル放送受信装置１が再生することはできない。このため、第一の復号化処理部状態識別データDec1Readyの値を“−２”に設定して（ステップＳ９３）、第一の復号化処理を終了する。
【０１００】
（２−３）データ出力処理
次に図１０を参照して、図７のステップＳ５５におけるデータ出力処理について説明する。
【０１０１】
まず、ベースバンド部２３に制御部２４から処理要求が入力されると（ステップＳ１０１：Ｙ）、第一の復号化処理状態識別データDec1Readyの値が判別され、第一の復号化処理部４２ｂにおいて第一の復号化処理を実行するための準備が完了しているか否かが判別される（ステップＳ１０２）。
【０１０２】
第一の復号化処理部４２ｂにおいて第一の復号化処理を実行するための準備が完了していない場合（ステップＳ１０２：Dec1Ready＝０）、第一の復号化処理部４２ｂの状態識別データDec1Readyの値が１になるまで待機する。第一の復号化処理部４２ｂにおいて第一の復号化処理を実行するための準備が完了すれば（ステップＳ１０２：Enc1Ready＝１）、第一の復号化処理部４２ｂから入力される復号化された記録データをスピーカ１３を介して出力するための設定を行う（ステップＳ１０３）。そして、データの出力終了要求が入力されると（ステップＳ１０４：Ｙ）、データの出力処理を終了する（ステップＳ１０５）。
【０１０３】
以上、説明した実施の形態のデジタル放送受信装置１によれば、記録データを外部記録媒体３１に記録した装置と、デジタル放送受信装置１とが同一の装置である場合には、第一の復号化処理部４２ｂにおいてデジタル放送受信装置１装置は自己の装置に割り当てられた識別情報を用いて記録データを復号して再生することができる。一方、記録データを外部記録媒体３１に記録した装置が、このデジタル放送受信装置１と異なる装置である場合には、入力部１２を介してユーザから正しいパスワードの入力がされることにより、外部記録媒体３１に記録された暗号鍵読出情報から記録データを記録媒体に記録した装置の識別情報を取得して、第一の復号化処理部４２ｂにおいて取得した識別情報を用いて暗号化された記録データを復号して再生することができる。すなわち、パスワードの入力を求めることにより、著作権保護を担保するとともに、ユーザがデータを記録した記録装置以外の装置でもデータを再生することが可能となりユーザの利便性を向上させ得る。
【０１０４】
また、本実施の形態のデジタル放送受信装置１によれば、外部記録媒体３１にデジタル放送受信装置１で受信したデジタル放送信号を記録する際に、第一の暗号化処理部４２ａにおいて当該デジタル放送受信装置１の識別情報を用いて暗号化処理を施すので、当該デジタル放送受信装置１以外の再生装置では、原則として、外部記録媒体３１に記録された記録データの再生ができなくなるので、著作権保護を図ることができる。
【０１０５】
また、第一の暗号化処理を施す際に、ユーザからパスワードが入力された場合は、暗号鍵読出情報を作成して外部記録媒体３１に記録データとともに記録させるので、他の再生装置において正しいパスワードの入力があれば、記録データを復号化するために必要な当該デジタル放送受信装置１の識別情報を他の再生装置に与えることができる。このため、正しいパスワードの入力により、他の再生装置においてもデジタル放送受信装置１により外部記録媒体３１に記録した記録データを再生することができるので、ユーザの利便性を向上することができる。
【０１０６】
さらに、本実施の形態のデジタル放送受信装置１では、外部記録媒体３１の識別情報を用いて第二の暗号化処理または第二の復号化処理を施すので、外部記録媒体３１に記録される記録データの不正なコピー等の使用を制限し、著作権保護を図ることができる。
【０１０７】
以上の説明において、本発明の再生装置および記録装置をデジタル放送受信装置１に適用した例を説明したが、本発明はこれに限定されるものではなく、外部記録媒体３１に対してデータの記録または再生を行う記録装置または再生装置に適用可能であるのは勿論である。すなわち、上記において説明した第一の暗号化処理部４２ａまたは第一の暗号化処理部４２ａに加えて第二の暗号化処理部４３ａおよび外部記録媒体識別情報抽出部４１を備え、第一の暗号化処理（および第二の暗号化処理）が施された記録対象データを外部記録媒体３１に記録する記録装置や第一の復号化処理部４３ａまたは第一の復号化処理部４２ｂに加えて第二の復号化処理部４３ｂおよび外部記録媒体識別情報抽出部４１を備え、外部記録媒体３１に第一の暗号化処理（および第二の暗号化処理）が施されて記録された記録データに対して第一の復号化処理（および第二の復号化処理）を施して記録データを再生する再生装置であればよい。
【０１０８】
また、以上の説明において、外部記録再生ユニット３０と外部記録媒体３１とが分離可能な構成であるとして説明したが、例えば、ＵＳＢ接続型のフラッシュメモリのように、外部記録再生ユニット３０と外部記録媒体３１とを一体的な構成としてもよい。
【０１０９】
また、以上の説明において、ユーザ識別情報として英文字、数字等を任意に組み合わせた文字列等により構成するパスワードを例に挙げて説明したが、ユーザ識別情報はこれに限定されるものではない。例えば、指紋、声紋、眼球の奥の虹彩、顔等のユーザを識別可能な情報であって、ユーザの認証に供することのできる情報であればよい。指紋、眼球の奥の虹彩、顔等をユーザ識別情報とする場合は、入力部１２としてＣＣＤカメラ等の画像入力装置をユーザ識別情報の入力を受け付けるための入力部１２として備える構成とすると好ましい。また、声紋をユーザ識別情報とする場合は、入力部１２として音声入力装置等をユーザ識別情報の入力を受け付けるための入力部１２として備える構成とすると好ましい。
【図面の簡単な説明】
【０１１０】
【図１】実施の形態における再生装置および記録装置を適用したデジタル放送受信装置の概要構成を示すブロック図である。
【図２】図１のインタフェース部の概要構成を示すブロック図である。
【図３】実施の形態のデータ記録処理を示すフローチャートである。
【図４】データ記録処理において行われるデータ出力処理を示すフローチャートである。
【図５】データ記録処理において行われる第一の暗号化処理を示すフローチャートである。
【図６】データ記録処理において行われる第二の暗号化処理を示すフローチャートである。
【図７】実施の形態のデータ再生処理を示すフローチャートである。
【図８】データ再生処理において行われる第二の復号化処理を示すフローチャートである。
【図９】データ再生処理において行われる第一の復号化処理を示すフローチャートである。
【図１０】データ再生処理において行われるデータ出力処理を示すフローチャートである。
【符号の説明】
【０１１１】
１  デジタル放送受信装置（記録装置、再生装置）
１１  表示部
１２  入力部
２４  制御部
３０  外部記録再生ユニット
３１  外部記録媒体（記録媒体）
３２  暗号鍵読出情報格納領域
４０  インタフェース部
４１  外部記録媒体識別情報抽出部（記録媒体識別情報抽出部）
４２  第一の暗号化・復号化処理部
４２ａ  第一の暗号化処理部
４２ｂ  第一の復号化処理部（ユーザ識別情報判別部、暗号鍵取得部）
４３  第二の暗号化・復号化処理部
４３ａ  第二の暗号化処理部
４３ｂ  第二の復号化処理部
【図１】
2007213327.tif 000003
【図２】
2007213327.tif 000004
【図３】
2007213327.tif 000005
【図４】
2007213327.tif 000006
【図５】
2007213327.tif 000007
【図６】
2007213327.tif 000008
【図７】
2007213327.tif 000009
【図８】
2007213327.tif 000010
【図９】
2007213327.tif 000011
【図１０】
2007213327.tif 000012